(57)【要約】    【課題】  簡便な方法で、骨矯正骨きり術後の骨接合が容易であり、しかも正確に矯正位を保持することができる矯正位保持機能付き骨接合プレートを提供すること。    【解決手段】  矯正位保持機能付き骨接合プレート５は、プレート１を骨に固定するためのスクリュー用の穴２が所定個数設けられた平板状の構造を有し、該プレート１の一方面に、骨切り部に挟み込むことのできる凸部３を備えていることを、主たる構成とする。凸部３の長さは、各種のものを取り揃える。【選択図】  図１
2006255075.tif 000002
【特許請求の範囲】
【請求項１】
外傷後の骨変形癒合に対する矯正手術として行う骨切りにおいて矯正方向に骨切り部を楔状に開いて固定する際に用いることのできる骨接合プレートであって、該プレートはその一方面に、骨切り部に挟み込むことのできる凸部を備えていることを特徴とする、矯正位保持機能付き骨接合プレート。
【請求項２】
前記凸部は、前記プレート一方面の略中央部に設けられた箱形の構造であることを特徴とする、請求項１に記載の矯正位保持機能付き骨接合プレート。
【発明の詳細な説明】
【技術分野】
【０００１】
本発明は矯正位保持機能付き骨接合プレートに係り、特に、整形外科手術における骨変形骨折の矯正手術において、簡便な方法で、矯正位の保持を確実かつ容易に行うことのできる、矯正位保持機能付き骨接合プレートに関する。
【背景技術】
【０００２】
整形外科手術における骨変形骨折の矯正手術において、骨矯正骨切りを行うためには、市販されている骨接合プレートや骨鋼線刺入と、骨切り部分への骨移植（多くは自家骨のブロック）によって矯正位を保持する必要がある。
【０００３】
図１１は、従来の骨接合プレートの構造を示す斜視図である。図示するように、骨接合プレート８１は、プレートを骨に固定するためのスクリュー用の穴８２が所定個数設けられた平板状の構造を有する。かかる骨接合プレートに関しては、従来からその改良提案もなされている。一例を、特許文献として挙げる。
【特許文献１】特開平８−２８０７０８号公報「骨接合用プレート」。
【特許文献２】特表２００３−５１２１２５号公報「骨接合用インプラント」。
【発明の開示】
【発明が解決しようとする課題】
【０００４】
しかし、従来、整形外科手術における骨変形骨折の矯正骨切り手術を行うためには、市販されている骨接合プレートや骨鋼線刺入と、骨切り部分への骨移植（多くは自家骨のブロック）によって矯正位を保持する必要があり、術中操作の煩雑さや、固定力が弱いことにより、術後経過中に矯正位が保持できなくなることがあった。
【０００５】
特に、骨切り部分を楔状に開き矯正位を保ちながら骨接合作業をすることが煩雑であり、作業中に矯正が不充分になることがある。また、矯正位保持目的で自家骨移植術を行なう場合でも、移植骨を矯正に適合した大きさにすることが困難であり、結局矯正が不充分になるという問題点もあった。
【０００６】
本発明が解決しようとする課題は、上記従来技術の問題点を除き、簡便な方法で、骨矯正骨きり術後の骨接合が容易であり、しかも正確に矯正位を保持することができる、矯正位保持機能付き骨接合プレートを提供することである。
【課題を解決するための手段】
【０００７】
本願発明者は上記課題について検討した結果、従来の骨接合プレートに改良を施すことによって上記課題の解決が可能であることを見出し、本発明に至った。すなわち、上記課題を解決するための手段として本願で特許請求される発明、もしくは少なくとも開示される発明は、以下のとおりである。
【０００８】
（１）  外傷後の骨変形癒合に対する矯正手術として行う骨切りにおいて矯正方向に骨切り部を楔状に開いて固定する際に用いることのできる骨接合プレートであって、該プレートはその一方面に、骨切り部に挟み込むことのできる凸部を備えていることを特徴とする、矯正位保持機能付き骨接合プレート。
（２）  前記凸部は、前記プレート一方面の略中央部に設けられた箱形の構造であることを特徴とする、（１）に記載の矯正位保持機能付き骨接合プレート。
【発明の効果】
【０００９】
本発明の矯正位保持機能付き骨接合プレートは上述のように構成されるため、これによれば、簡便な方法で、骨矯正骨きり術後の骨接合が容易であり、しかも正確に矯正位を保持することができる。
【発明を実施するための最良の形態】
【００１０】
以下、本発明を図面により詳細に説明する。
図１は、本発明骨接合プレートの正面図である。また、
図２、３、４および５はそれぞれ、図１の骨接合プレートの側面図、上面図、底面図および斜視図である。これらに図示されるように、本発明の矯正位保持機能付き骨接合プレート５は、プレート１を骨に固定するためのスクリュー用の穴２が所定個数設けられた平板状の構造を有し、該プレート１の一方面に、骨切り部に挟み込むことのできる凸部３を備えていることを、主たる構成とする。穴２の個数は、図では、該凸部３を挟んで両側に３個ずつ、計６個であるが、これは例示であり、本発明はかかる個数に限定されない。
【００１１】
これらに図示するように、該凸部３は、該プレート１一方面の略中央部に設けられた箱形の構造とすることができる。かかる簡易な構成にて充分な矯正位保持効果が得られる。
【００１２】
図６は、本発明骨接合プレートの各種構成例を示す正面図であり、ここでは４種の構成例を示している。いずれの例でも、該凸部の高さ（厚さ）は５ｍｍとし、該凸部の長さとしては、４、６、８、１０ｍｍのタイプを取り揃えたものである。骨接合術には、状況に応じてこれらのタイプの中から最も適合するものを選択して用いることができる。つまり、凸部としてはサイズを各種揃えておき、骨切りで開いた幅に合わせて、最も適合するタイプのものを使用することができる。もっとも、本発明がこれら図示されたタイプのみに限定されないことはいうまでもない。
【００１３】
図７−１は、本発明骨接合プレートを使用する前段階としての、骨矯正骨切り術の過程を示す説明図である。また、
図７−２は、図７−１の骨切り術後における、本発明骨接合プレートの使用方法を示す説明図である。これらに図示するように、本骨接合プレート５５は、たとえば外傷後の骨変形癒合に対する矯正手術として行う骨切りにおいて、矯正方向に骨切り部を楔状に開いて固定する際に用いることができる。つまり、変形した骨折骨Ｂに対して骨切りＣがなされて、その切断箇所Ｄは楔状に開かれ、その隙間に、本骨接合プレート５５の凸部３０が挿入されて、矯正位の保持がなされた状態で、本プレート５５の穴を通してボルト６１等によって骨固定がなされる。これにより、骨切りによる骨矯正位の術中保持が容易に行え、矯正位での正確な骨接合が可能となる。
【００１４】
つまり、骨切りによって生じた楔状の骨欠損部に、欠損の広さに適合した凸部付きの本発明骨接合プレートを当てて、骨接合を行なう。固定後の生じた骨欠損部には、自家骨の小片や人工骨移植、充填を行うこととすればよい。
【実施例】
【００１５】
図８は、本発明実施例の一部についての写真図である。図に例示されるように、本例骨接合プレートは、長さ５０〜６０ｍｍ、幅５ｍｍ厚さ２ｍｍ程度のステンレスプレートで、両端にスクリュー固定用の穴が３穴ずつ開いたものとして、製作した。中央２０ｍｍ部の裏面にはプレートと同じ幅で、厚さ１０ｍｍのステンレス製の凸部がプレートと一体化して設けられている。本例では、凸部の長さは最小８ｍｍから、２ｍｍ刻みで長くしたものを各種揃え、最大１２ｍｍとした。
【００１６】
外傷による手首の変形治癒骨折の骨矯正手術の際に、本実施例骨接合プレートの一つを用いた。
図９は、本発明プレートを用いて行った骨接合術の術後状況を、プレート上面から撮影したＸ線透視写真図である。また、
図１０は、本発明プレートを用いて行った骨接合術の術後状況を、プレート正面から撮影したＸ線写真図である。
【００１７】
図９では、骨切り後に開かれた部分に、本骨接合プレートが固定されているが、その略中央部の黒い部分が、凸部である。また、図１０では、本骨接合プレートが楔状に開いた骨の矯正位を保持している様子が示されている。
【００１８】
これらに示されるように、本発明骨接合プレートは、実際の手術において何ら問題なくその独自の効果を発揮し、骨矯正骨きり術後の骨接合を、簡便かつ容易に行え、しかも正確に矯正位を保持することができる。
【産業上の利用可能性】
【００１９】
本発明の矯正位保持機能付き骨接合プレートは、簡易な構造で上述の効果を発揮できるため、整形外科を始めとした医療関連産業上、利用価値が高い発明である。
【図面の簡単な説明】
【００２０】
【図１】本発明骨接合プレートの正面図である。
【図２】本発明骨接合プレートの側面図である。
【図３】本発明骨接合プレートの上面図である。
【図４】本発明骨接合プレートの底面図である。
【図５】本発明骨接合プレートの斜視図である。
【図６】本発明骨接合プレートの各種構成例を示す正面図である。
【図７−１】本発明骨接合プレートを使用する前段階としての、骨矯正骨切り術の過程を示す説明図である。
【図７−２】図７−１の骨切り術後における、本発明骨接合プレートの使用方法を示す説明図である。
【図８】本発明の各種実施例を示す写真図である。
【図９】本発明プレートを用いて行った骨接合術の術後状況を、プレート上面から撮影したＸ線透視写真図である。
【図１０】本発明プレートを用いて行った骨接合術の術後状況を、プレート正面から撮影したＸ線写真図である。
【図１１】従来の骨接合プレートの構造を示す斜視図である。
【符号の説明】
【００２１】
１…プレート
２…穴
３…凸部
５…矯正位保持機能付き骨接合プレート
３０…凸部
５１、５２、５３、５４、５５…矯正位保持機能付き骨接合プレート
６１、６２、６３、６４…ボルト
８１…従来の骨接合プレート
８２…従来の骨接合プレートの穴
Ｂ…骨
Ｃ…骨切りの動作
Ｄ…切断部
【図１】
2006255075.tif 000003
【図２】
2006255075.tif 000004
【図３】
2006255075.tif 000005
【図４】
2006255075.tif 000006
【図５】
2006255075.tif 000007
【図６】
2006255075.tif 000008
【図７−１】
2006255075.tif 000009
【図７−２】
2006255075.tif 000010
【図１１】
2006255075.tif 000011
【図８】
2006255075.tif 000012
【図９】
2006255075.tif 000013
【図１０】
2006255075.tif 000014